(57)【要約】【課題】大きさが色々異なる物を挟むことだけでなく、箸先を刺し込んで切り開く操作にも対応することができる箸さばき遊技具およびそれを使用する遊技方法を提供する。【解決手段】本発明の箸さばき遊技具は、一対の箸と互に外径が異なる複数のリングとの組合せからなり、前記複数のリングが外径の大きさの順に年輪状に配置可能になっている。本発明の遊戯方法は、年輪状に配置した最外側のリングから順次内側のリングの順に、そのリングの外周側を一対の箸の箸先に挟みながら搬出し、隣接の位置に年輪状に再配置する。別の遊戯方法は、年輪状に配置した複数のリングを最内側のリングから順次外側のリングの順に、そのリングの内周側に前記一対の箸の箸先を押し当て保持しながら搬出し、隣接の位置に年輪状に再配置する。さらに別の遊戯方法は、年輪状に配置した複数のリングを、順番に、そのリングの径方向の厚み部を一対の箸の箸先に挟んで、再配置する。【選択図】図１
2018072586.tif 000002
【特許請求の範囲】
【請求項１】
一対の箸と互に外径が異なる複数のリングとの組合せからなり、前記複数のリングが外径の大きさの順に年輪状に配置可能になっている箸さばき遊技具。
【請求項２】
前記一対の箸の箸先に弾性材が被覆されている請求項１に記載の箸さばき遊技具。
【請求項３】
前記リングの外周面と内周面とが粗面に加工されている請求項１または２に記載の箸さばき遊技具。
【請求項４】
前記リングの両側面が互いに異なる色に着色されている請求項１〜３のいずれか１項に記載の箸さばき遊技具。
【請求項５】
請求項１〜４のいずれか１項に記載の箸さばき遊技具を使用する遊技方法であって、前記複数のリングを平面上に年輪状に配置し、これら年輪状に配置した複数のリングを最外側のリングから順次内側のリングの順に、そのリングの外周側を前記一対の箸の箸先に挟みながら搬出し、隣接の位置に年輪状に再配置する箸さばき遊技方法。
【請求項６】
請求項１〜４のいずれか１項に記載の箸さばき遊技具を使用する遊技方法であって、前記複数のリングを平面上に年輪状に配置し、これら年輪状に配置した複数のリングを最内側のリングから順次外側のリングの順に、そのリングの内周側に前記一対の箸の箸先を押し当て保持しながら搬出し、隣接の位置に年輪状に再配置する箸さばき遊技方法。
【請求項７】
請求項１〜４のいずれか１項に記載の箸さばき遊技具を使用する遊技方法であって、前記複数のリングを平面上に年輪状に配置し、これら年輪状に配置した複数のリングを最外側のリングから順次内側のリングの順に、または最内側のリングから順次外側のリングの順に、そのリングの径方向の厚み部を前記一対の箸の箸先に挟みながら搬出し、隣接の位置に年輪状に再配置する箸さばき遊技方法。
【発明の詳細な説明】
【技術分野】
【０００１】
本発明は、箸さばき遊技具および遊技方法に関する。
【背景技術】
【０００２】
箸は食べ物を口へ運ぶための道具である。その箸の使い方には、箸先で食べ物を挟むとか、あるいは刺し込んで小さく切り裂くなどの操作がある。このような箸の使い方（箸さばき）は、箸を初めて使う人には難しく、ある程度の訓練をすることが必要である。そのため、親が子供に対して小さい頃から箸の使い方を教えるという習慣がある。
【０００３】
特許文献１や特許文献２には、このような箸さばき操作をゲーム感覚で訓練できるようにした遊技具が開示されている。いずれも、一方の容器に多数の被搬送物を収納しておき、その被搬送物を箸先で１個ずつ挟みながら、他方の容器へ移し替えるようにしたものである。
【０００４】
しかし、従来の遊技具は、被搬送物が同じ大きさで、それを箸先で挟んで運ぶ操作を行うだけであるため、大きさが色々異なる物を運んだり、箸先を刺し込んで切り開く箸特有の操作などには対応できていなかった。
【先行技術文献】
【特許文献】
【０００５】
【特許文献１】実用新案登録第３１３４１２５号公報
【特許文献２】特開２０１０−１９４２８１号公報
【発明の概要】
【発明が解決しようとする課題】
【０００６】
本発明の目的は、大きさが色々異なる物を挟むことだけでなく、箸先を刺し込んで切り開く操作にも対応することができる箸さばき遊技具を提供することにある。また、この遊技具を使用する箸さばき遊技方法を提供する。
【課題を解決するための手段】
【０００７】
本発明の箸さばき遊技具は、一対の箸と互に外径が異なる複数のリングとの組合せからなり、前記複数のリングが外径の大きさの順に年輪状に配置可能になっていることを特徴とするものである。
また、本発明の箸さばき遊技方法には、次の三つの方法がある。
第１の発明の箸さばき遊技方法は、前記箸さばき遊技具を使用する遊技方法であって、前記複数のリングを平面上に年輪状に配置し、これら年輪状に配置した複数のリングを最外側のリングから順次内側のリングの順に、そのリングの外周側を前記一対の箸の箸先に挟みながら搬出し、隣接の位置に年輪状に再配置することを特徴とするものである。
第２の発明の箸さばき遊技方法は、前記箸さばき遊技具を使用する遊技方法であって、前記複数のリングを平面上に年輪状に配置し、これら年輪状に配置した複数のリングを最内側のリングから順次外側のリングの順に、そのリングの内周側に前記一対の箸の箸先を押し当て保持しながら搬出し、隣接の位置に年輪状に再配置することを特徴とするものである。
第３の発明の箸さばき遊技方法は、前記箸さばき遊技具を使用する遊技方法であって、前記複数のリングを平面上に年輪状に配置し、これら年輪状に配置した複数のリングを最外側のリングから順次内側のリングの順に、または最内側のリングから順次外側のリングの順に、そのリングの径方向の厚み部を前記一対の箸の箸先に挟みながら搬出し、隣接の位置に年輪状に再配置することを特徴とするものである。
【０００８】
本発明は、次の態様を含む。
［１］一対の箸と互に外径が異なる複数のリングとの組合せからなり、前記複数のリングが外径の大きさの順に年輪状に配置可能になっている箸さばき遊技具。
［２］前記一対の箸の箸先に弾性材が被覆されている［１］に記載の箸さばき遊技具。
［３］前記リングの外周面と内周面とが粗面に加工されている［１］または［２］に記載の箸さばき遊技具。
［４］前記リングの両側面が互いに異なる色に着色されている［１］〜［３］のいずれかに記載の箸さばき遊技具。
［５］［１］〜［４］のいずれかに記載の箸さばき遊技具を使用する遊技方法であって、前記複数のリングを平面上に年輪状に配置し、これら年輪状に配置した複数のリングを最外側のリングから順次内側のリングの順に、そのリングの外周側を前記一対の箸の箸先に挟みながら搬出し、隣接の位置に年輪状に再配置する箸さばき遊技方法。
［６］［１］〜［４］のいずれかに記載の箸さばき遊技具を使用する遊技方法であって、前記複数のリングを平面上に年輪状に配置し、これら年輪状に配置した複数のリングを最内側のリングから順次外側のリングの順に、そのリングの内周側に前記一対の箸の箸先を押し当て保持しながら搬出し、隣接の位置に年輪状に再配置する箸さばき遊技方法。
［７］［１］〜［４］のいずれかに記載の箸さばき遊技具を使用する遊技方法であって、前記複数のリングを平面上に年輪状に配置し、これら年輪状に配置した複数のリングを最外側のリングから順次内側のリングの順に、または最内側のリングから順次外側のリングの順に、そのリングの径方向の厚み部を前記一対の箸の箸先に挟みながら搬出し、隣接の位置に年輪状に再配置する箸さばき遊技方法。
【発明の効果】
【０００９】
箸さばきする対象をリングにしているので、リングの外周側または径方向の厚み部を箸先で挟む操作により食べ物を挟む訓練をすることができ、また内周側で箸先を開いて押し当てる操作により食べ物を切り裂く訓練を行うことができる。しかも、互いに外径が異なる複数のリングを使用するので、大きさが色々異なる食べ物に対する訓練も行うことができる。したがって、従来の遊技具では達成が不可能な多様な訓練を行うことができる。
【図面の簡単な説明】
【００１０】
【図１】図１（Ａ），（Ｂ）は、本発明の箸さばき遊技具の平面図である。
【図２】図２（Ａ）〜（Ｅ）は、本発明の箸さばき遊技具の構成部品である複数のリングを個別に示す平面図である。
【図３】図３（Ａ），（Ｂ）は、本発明の箸さばき遊技方法の第１の発明（方法Ａ）を説明するための図である。
【図４】図４（Ａ），（Ｂ）は、本発明の箸さばき遊技方法の第２の発明（方法Ｂ）を説明するための図である。
【図５】図５は、本発明の箸さばき遊技方法の第３の発明（方法Ｃ）を説明するための図である。
【発明を実施するための形態】
【００１１】
以下、図面を参照しながら、本発明を詳しく説明するが、本発明は図面に示したものに限定されるものではない。
【００１２】
（１）箸さばき遊技具
図１（Ａ），（Ｂ）に、本発明の箸さばき遊技具の一例の平面図を示す。図２（Ａ）〜（Ｅ）は、本発明の箸さばき遊技具の構成部品である複数のリングを個別に示した平面図である。
箸さばき遊技具は、一対の箸１と、複数のリング２ａ、２ｂ、２ｃ、２ｄ、２ｅからなるリング群２との組合せから構成されている。
【００１３】
箸１としては、日本食に一般に使用されているもので差し支えない。また、材質は木、竹、プラスチック、金属のいずれであってもよい。この箸１としては、図１に例示するように、箸先に滑り止めとしてチューブ状の弾性材４を被覆するようにしたものであってもよい。
【００１４】
リング群２は、互いに外径が異なる複数のリング２ａ、２ｂ、２ｃ、２ｄ、２ｅから構成されている。これら複数のリング２ａ、２ｂ、２ｃ、２ｄ、２ｅは、図１（Ｂ）に示すように、最大外径のリング２ａを最外側に配置し、その内側に順次外径が小さいリング２ｂ、２ｃ、２ｄ、２ｅを相互間に適度の隙間３を介在させて、年輪状すなわち同心円状に配置されるようになっている。
【００１５】
箸２は、複数のリング２ａ、２ｂ、２ｃ、２ｄ、２ｅの１個ずつに対して、その外周側を箸先の間に挟んだり（図３）、または径方向の厚み部を箸先の間に挟んで（図５）、搬送することができる。また、リング２ａ、２ｂ、２ｃ、２ｄ、２ｅの１個ずつに対して、その内周側に箸先を差し入れて開くとともに、内周面に押し当てて保持することもできる（図４）。
【００１６】
箸１の箸先の把持力や保持力を向上させる手段としては、箸先に弾性材４を被覆するとよい。または、リング２ａ、２ｂ、２ｃ、２ｄ、２ｅの外周面と内周面をそれぞれ粗面加工して、表面の摩擦力を向上させるようにしてもよい。粗面加工はリングの外周面と内周面だけに限らず、リング全表面に施してもよい。
【００１７】
なお、箸さばき遊戯具は、箸さばき訓練具と言い換えることもできる。
また、本発明の箸さばき遊戯具は、子供が箸を上手に使えるようにするために用いられるだけでなく、高齢者の身体機能低下予防訓練等にも、怪我や麻痺等を患った人のリハビリテーションにも用いることができる。
【００１８】
（２）箸さばき遊技方法
本発明の箸さばき遊技方法は、上述した箸さばき遊技具を使用する遊技方法である。この遊技方法を実施することにより、ゲームを楽しみながら箸さばき操作を向上することができる。
本発明の遊技方法としては、以下に説明する第１の発明の方法Ａ（図３に例示）、第２の発明の方法Ｂ（図４に例示）、第３の発明の方法Ｃ（図５に例示）がある。
【００１９】
方法Ａ：
方法Ａは、図３（Ａ）に例示するように、箸１の箸先に複数のリング２ａ、２ｂ、２ｃ、２ｄ、２ｅを１個ずつ、そのリング外周側を間に挟んで搬送する遊技方法である。複数のリングは互いに外径が異なるので、色々な大きさの食べ物に対する箸さばき訓練を行うことができる。
この方法Ａの遊技方法は、先ず図３（Ｂ）に例示するように、テーブル等の平面位置Ｉに、複数のリング２ａ、２ｂ、２ｃ、２ｄ、２ｅからなるリング群２を、外径の大きさの順に年輪状すなわち同心円状に配置した状態にする。次いで、最外側に位置する最大外径のリング２ａを、その外周側を箸１の箸先の間に挟んで、平面位置Ｉから隣接の平面位置IIに搬送する。
次いで２番目に外径が大きいリング２ｂに対して、上記と同様の搬送操作を行って、隣接の平面位置IIに移送する。搬送したリング２ｂは、既に平面位置IIに移送済みのリング２ａの内側に配置する。以後、同様の操作を順次年輪状の内側に位置するリングに対して、外径が最小のリング２ｅまで繰り返し、すべてのリング２ａ、２ｂ、２ｃ、２ｄ、２ｅを隣接の平面位置IIに搬送して、年輪状に再配置されたリング群２にする。
【００２０】
方法Ｂ：
方法Ｂは、図４（Ａ）に例示するように、箸１の箸先を複数のリング２ｅ、２ｄ、２ｃ、２ｂ、２ａに１個ずつ、そのリング内周面に押し当て保持しながら搬送する遊技方法である。複数のリングは互いに内径が異なるので、食べ物を色々な大きさに切り裂く箸さばき訓練をすることができる。
この方法Ｂの遊技方法は、図４（Ｂ）に例示するように、先ず平面位置Ｉに複数のリング２ａ、２ｂ、２ｃ、２ｄ、２ｅからなるリング群２を年輪状の配置状態にする。次いで、年輪状の最内側に位置する最小外径のリング２ｅの内側に箸１の箸先を差し込み、それを内周面に押し当てて保持しながら、隣接の平面位置IIに搬送する。
次に、年輪状の内側から２番目のリング２ｄに同様の移送操作を行って、隣接の平面位置IIに搬送する。その搬送したリング２ｄは、既に平面位置IIに移送済みのリング２ｅの外側に配置する。以後、同様の操作を年輪状の最外側のリング２ａまで順次繰り返して、全てのリング２ｅ、２ｄ、２ｃ、２ｂ、２ａを平面位置IIに搬送し、再び年輪状に再配置した状態にする。
【００２１】
方法Ｃ：
方法Ｃは、図５に例示するように、箸１の箸先に複数のリング２ｅ、２ｄ、２ｃ、２ｂ、２ａに１個ずつ、その径方向の厚み部を間に挟んで搬送する遊技方法である。
この方法Ｃの遊技方法は、最初に平面位置Ｉに複数のリング２ａ、２ｂ、２ｃ、２ｄ、２ｅのリング群２を年輪状の配置状態にすることは、方法Ａや方法Ｂと同じである。しかし、平面位置Ｉから平面位置IIに搬送するときは、方法Ａのように、年輪状配置のリング群２の最外側のリング２ａから開始する場合と、方法Ｂのように、年輪状配置のリング群２の最内側のリング２ｅから開始する場合とがある。その選択としては、いずれであってもよい。
【００２２】
上述した遊技方法Ａ、Ｂ、Ｃにおいて、平面位置Ｉから平面位置IIにリングを搬送して年輪状に再配置するとき、そのリングの両側面の表裏を反転させるようにしてもよい。このような反転操作を加えると、ゲームを一層面白くする。このようにリングの表裏を反転させた時の判定を容易にするため、リングの表側面と裏側面とを互いに異なる色に着色するとよい。例えば、表面側を赤にし、反対の裏面側を白にするとか、表面側を青にし、反対の裏面側を黄にするなどである。
【００２３】
本発明の遊技方法としては、所定時間（例えば１分間）内に、方法Ａおよび／または方法Ｂおよび／または方法Ｃを何回繰り返せたかを測定し、その総回数で競うようにするとよい。また、遊技方法としては、方法Ａだけの回数、方法Ｂだけの回数、方法Ｃだけの回数、方法Ａと方法Ｂとを交互に繰り返す回数、方法Ｂと方法Ｃとを交互に繰り返す回数、方法Ｃと方法Ａとを交互に繰り返す回数、方法Ａと方法Ｂと方法Ｃとを順に繰り返す回数、方法Ａと方法Ｃと方法Ｂとを順に繰り返す回数、表裏を反転させた回数など、これらを単独または複数混在させるなど、いずれであってもよい。
【００２４】
なお、本発明の箸さばき遊戯方法は、前記箸さばき遊技具を使用する方法と言い換えることもできる。
【００２５】
（３）変更可能な態様
箸は日本食に使用されている通常のものでよい。材質は木製、竹製、プラスチック製、金属製のいずれであってもよいが、特に木製および竹製が好ましい。
リングの材質はプラスチック、木、軽金属などが使用されるが、特にプラスチックが好ましい。プラスチックのリングは射出成形で製作してもよいが、好ましくは塩化ビニル管などのプラスチックパイプから切り出したものを使用するとよい。リングの周方向に対して直行する断面の形状は特に限定されないが、好ましくは四角形または円形がよい。
遊技具を構成するリング群のリングの数は、３〜６個が好ましい。
リング群を構成するリングの外径としては、最小外径のリングの下限を１５ｍｍとし、また最大外径のリングの上限を６５ｍｍとすることが好ましい。
また、リング群の中において互いに隣接関係にあるリング間の差は、小径側リングの外径と大径側リングの内径との差を２〜６ｍｍにすることが好ましい。大径側リングの内径と小径側リングの外径との差は、隙間３の大きさに関係するので、複数のリングを年輪状に再配置するときの操作性に影響を与える。
リングの半径方向の厚み、すなわち外径から内径を引いた寸法は、５〜１２ｍｍが好ましい。各リングの半径方向の厚みは、すべてのリングで同一でもよいし、異なっていてもよい。半径方向の厚みがリングごとに異なる場合、外形の小さいリングほど半径方向の厚みを小さくすることが好ましい。
リングの中心軸方向の厚み（周方向に対して直行する断面が四角形の場合はリングの両側面間の寸法、周方向に対して直行する断面が円の場合は円の直径）は５〜１２ｍｍが好ましい。各リングの中心軸方向の厚みは、すべてのリングで同一でもよいし、異なっていてもよい。
【産業上の利用可能性】
【００２６】
本発明の箸さばき遊技具は、箸さばきの訓練のための道具として商品価値を有する。
【図１】
2018072586.tif 000003
【図２】
2018072586.tif 000004
【図３】
2018072586.tif 000005
【図４】
2018072586.tif 000006
【図５】
2018072586.tif 000007